(57)【要約】      （修正有）【課題】所定のボックス等の側方に位置する開口部にカーテンやタオル等を吊り下げるときに、開口部を構成する側壁間に所定のポールを架設するために使用されるポール用支持具を提供する。【解決手段】ポールＰの両端部を支持する一対のポール用支持具１であり、このポール用支持具１は、ポールＰの端部を受け入れるポール受け部９を備えたブラケット本体１０と、ブラケット本体１０の内側面に設けた板片部１１とから成り、板片部１１は、固定用の孔１３を備えている。また、ブラケット本体１０は、開口部を構成する側壁３の前面３Ａに当接する接触面１２を備えている。【選択図】図３
0003104247.tif 000002
【実用新案登録請求の範囲】
【請求項１】
ポールの両端部を支持する一対のポール用支持具であり、このポール用支持具は、ポールの端部を受け入れるポール受け部を備えたブラケット本体と、ブラケット本体の内側面に設けた板片部とから成り、板片部は、固定用の孔を備えていることを特徴とするポール用支持具。
【請求項２】
所定のボックス等の開口部に配置されたポール用支持具において、ブラケット本体は、開口部を構成する側壁の前面に当接する接触面を備えている請求項１に記載のポール用支持具。
【請求項３】
所定のボックス等の開口部に配置されたポール用支持具において、ブラケット本体の接触面が、開口部を構成する側壁の前面に当接し、板片部が、側壁の内面に当接してネジにより固定される請求項１または２に記載のポール用支持具。
【請求項４】
ブラケット本体は、接触面を複数備えている請求項２または３に記載のポール用支持具。
【請求項５】
ブラケット本体の接触面は、線状または点状に形成されている請求項２乃至４のいずれかに記載のポール用支持具。
【請求項６】
ブラケット本体の接触面は、側壁の前面と平行に形成されている請求項２乃至５のいずれかに記載のポール用支持具。
【請求項７】
ブラケット本体の接触面は、少なくとも板片部の孔よりも下方に位置する部分が存在する請求項２乃至６のいずれかに記載のポール用支持具。
【請求項８】
いずれか一方のブラケット本体は、ポール受け部が、ポールの端部を上方から受け入れる挿入口を備えている請求項１乃至７のいずれかに記載のポール用支持具。
【考案の詳細な説明】
【技術分野】
【０００１】
本考案は、例えば、所定のボックス等の側方に位置する開口部にカーテンやタオル等を吊り下げるときに、開口部を構成する側壁間に所定のポールを架設するために使用されるポール用支持具に関するものである。
【背景技術】
【０００２】
従来における、この種のポール用支持具としては、例えば、特許文献１に開示されているように、ブラケット本体の基端側に形成した首部の外周にリングランナーを挿嵌し、その基端側を窓枠の側壁に対してネジで固定した後、ブラケット本体の先端側に形成した円筒状の受け部に、ポールの端部を軸方向に挿入して支持する構造のものが存在する。
【特許文献１】実用新案登録番号第２５７３７１２号公報
【考案の開示】
【考案が解決しようとする課題】
【０００３】
しかしながら、このような従来におけるポール用支持具は、ブラケット本体の基端側を側壁の内側にネジで固定し、この側壁の内側に固定したブラケット本体によりポールの端部を支持するため、ポールにより吊り下げるカーテンやタオル自体も側壁の内側に存在することとなり、このポール用支持具を所定のボックス等に用いたときには、ボックスの収容スペースを狭くしてしまう弊害が生じていた。
【０００４】
また、ネジをポールの長手方向に沿うようにねじ込んでブラケット本体を側壁に固定しているため、ポールの端部を支持しているブラケット本体に下方へ向う負荷が生じたとき、側壁にねじ込んでいるネジが引っ張り出される方向に負荷がかかるため、ネジが引き抜かれ易い状態となり、ブラケット本体が側壁から外れて吊り下げているカーテン等も落下してしまう弊害が生じていた。
【０００５】
そこで、本考案は叙上のような従来存した諸事情に鑑み創案されたもので、ブラケット本体をボックスの開口部から若干突出した状態でボックスに固定でき、しかも、ブラケット本体に下方へ向う負荷が生じたときであっても、ブラケット本体がボックスの側壁から外れてしまうような事態の発生を確実に阻止したポール用支持具を提供することを目的とする。
【課題を解決するための手段】
【０００６】
上述した目的を達成するため、本考案は、ポールの両端部を支持する一対のポール用支持具であり、このポール用支持具は、ポールの端部を受け入れるポール受け部を備えたブラケット本体と、ブラケット本体の内側面に設けた板片部とから成り、板片部は、固定用の孔を備えていることで、上述した課題を解決した。
【０００７】
また、所定のボックス等の開口部に配置されたポール用支持具において、ブラケット本体は、開口部を構成する側壁の前面に当接する接触面を備えていることで、同じく上述した課題を解決した。
【０００８】
さらに、所定のボックス等の開口部に配置されたポール用支持具において、ブラケット本体の接触面が、開口部を構成する側壁の前面に当接し、板片部が、側壁の内面に当接してネジにより固定されることで、同じく上述した課題を解決した。
【０００９】
また、ブラケット本体は、接触面を複数備えていることで、同じく上述した課題を解決した。
【００１０】
加えて、ブラケット本体の接触面は、線状または点状に形成されていることで、同じく上述した課題を解決した。
【００１１】
また、ブラケット本体の接触面は、側壁の前面と平行に形成されていることで、同じく上述した課題を解決した。
【００１２】
この他、ブラケット本体の接触面は、少なくとも板片部の孔よりも下方に位置する部分が存在することで、同じく上述した課題を解決した。
【００１３】
また、いずれか一方のブラケット本体は、ポール受け部が、ポールの端部を上方から受け入れる挿入口を備えていることで、同じく上述した課題を解決した。
【考案の効果】
【００１４】
本考案は、ポールＰの両端部を支持する一対のポール用支持具１であり、このポール用支持具１は、ポールＰの端部を受け入れるポール受け部９，１５を備えたブラケット本体１０と、ブラケット本体１０の内側面に設けた板片部１１とから成り、板片部１１は、固定用の孔１３を備えているため、ボックスＢの側壁３，４における上方部分に一対のポール用支持具１を配置し、孔１３に所定のネジ１４をねじ込む簡単な作業により、誰もが短時間のうちに一対のポール用支持具１をボックスＢの側壁３，４に固定できる。
【００１５】
このとき、ブラケット本体１０の板片部１１が側壁３，４の内面３Ｂ，４Ｂ側に位置するため、板片部１１をネジ１４により固定している部分がボックスＢの外側から見えなくなり、ボックスＢの外観をきれいに仕上げることができる。
【００１６】
また、一対のポール用支持具１により、ブラケット本体１０をボックスＢの開口部２から若干突出した状態で固定できるため、ボックスＢの収容スペースが狭くなってしまう事態の発生を阻止している。
【００１７】
さらに、所定のボックスＢ等の開口部２に配置されたポール用支持具１において、ブラケット本体１０は、開口部２を構成する側壁３，４の前面３Ａ，４Ａに当接する接触面１２（垂直状背面部１０Ｆ）を備えているため、ブラケット本体１０の板片部１１をネジ１４により側壁３，４に固定したときに、ブラケット本体１０の接触面１２（垂直状背面部１０Ｆ）と側壁３，４が当接した状態となり、ボックスＢの側壁３，４にブラケット本体１０を強固に固定できる。
【００１８】
また、所定のボックスＢ等の開口部２に配置されたポール用支持具１において、ブラケット本体１０の接触面１２（垂直状背面部１０Ｆ）が、開口部２を構成する側壁３，４の前面３Ａ，４Ａに当接し、板片部１１が、側壁３，４の内面３Ｂ，４Ｂに当接してネジ１４により固定されるので、ブラケット本体１０に下方へ向う負荷が生じたときであっても、ブラケット本体１０が側壁３，４から外れてしまうような事態の発生を確実に阻止している。
【００１９】
即ち、ブラケット本体１０に下方へ向う負荷が生じると、ブラケット本体１０の全体が下方に向けて引っ張られる状態となり、ブラケット本体１０の接触面１２（垂直状背面部１０Ｆ）が側壁３，４の前面３Ａ，４Ａに強く押し付けられる。そして、ブラケット本体１０の接触面１２（垂直状背面部１０Ｆ）が所定の接触面積を備えて側壁３，４の前面３Ａ，４Ａに当接するため、この接触面１２（垂直状背面部１０Ｆ）により、下方に向けて引っ張られる力を分散して受け止めることができ、大きな負荷に充分に耐えることができるのである。
【００２０】
加えて、ブラケット本体１０の板片部１１を側壁３，４の内面３Ｂ，４Ｂにネジ１４により固定しているので、ブラケット本体１０が下方に向けて引っ張られたときに、ネジ１４のねじ込み方向に対して直角の方向に力が作用し、ネジ１４の全体でこの力を支えるため、大きな負荷に充分に耐えることができる。
【００２１】
これは、従来のポール用支持具においては、ブラケット本体に下方へ向う負荷が生じたとき、側壁にねじ込んでいるネジが引っ張り出される方向に負荷がかかり、ネジが引き抜かれ易い状態となっているのに対し、本考案のポール用支持具１では、板片部１１が接触面１２（垂直状背面部１０Ｆ）に対して９０度の角度で取り付けられ、この板片部１１を側壁３，４の内面３Ｂ，４Ｂにネジ１４により固定するため、ブラケット本体１０に大きな負荷が生じたときであっても、ネジ１４が側壁３，４から引き抜かれることがなく、ネジ１４の全体で負荷に対抗して、ブラケット本体１０を側壁３，４の前面３Ａ，４Ａに確実に固定するのである。
【００２２】
また、ブラケット本体１０が、接触面１２（垂直状背面部１０Ｆ）を複数備えているときは、この複数の接触面１２（垂直状背面部１０Ｆ）により下方に向けて引っ張られる力を分散して受け止めて、大きな負荷に充分に耐えることができる。
【００２３】
この他、ブラケット本体１０の接触面１２（垂直状背面部１０Ｆ）が、線状または点状に形成されているときも、同様に接触面１２（垂直状背面部１０Ｆ）により下方に向けて引っ張られる力を分散して受け止めて、大きな負荷に充分に耐えることができる。
【００２４】
また、ブラケット本体１０の接触面１２（垂直状背面部１０Ｆ）は、側壁３，４の前面３Ａ，４Ａと平行に形成されているため、側壁３，４の前面３Ａ，４Ａと接触面１２（垂直状背面部１０Ｆ）の接触面積が大きくなり、この接触面積が大きい接触面１２（垂直状背面部１０Ｆ）により下方に向けて引っ張られる力を分散して受け止めて、大きな負荷に充分に耐えることができる。
【００２５】
さらに、ブラケット本体１０の接触面１２（垂直状背面部１０Ｆ）は、少なくとも板片部１１の孔１３よりも下方に位置する部分が存在するため、より大きな負荷に充分に耐えることができる。
【００２６】
これは、ブラケット本体１０に下方へ向う負荷が生じると、ブラケット本体１０の全体が下方に向けて引っ張られる状態となる。このときブラケット本体１０の板片部１１がネジ１４により固定されているため、ネジ１４を支点としてブラケット本体１０が下方に回動しようとする力が作用し、特に、接触面１２（垂直状背面部１０Ｆ）の下方部分が側壁３，４の前面３Ａ，４Ａに強く押し付けられる。このとき、板片部１１の孔１３よりも下方に位置する接触面１２（垂直状背面部１０Ｆ）により、側壁３，４の前面３Ａ，４Ａに強く押し付けられる力を分散して受け止めることができるのである。
【００２７】
また、いずれか一方のブラケット本体１０は、ポール受け部１５が、ポールＰの端部を上方から受け入れる挿入口１６を備えているため、ポールＰの一端を一方のブラケット本体１０のポール受け部９により支持しながら、ポールＰの他端を、他方のブラケット本体１０の上方からポール受け部１５に簡単に挿入することができる。そのため、所定のボックスＢへのポールＰの架設作業が極めて簡単となる。
【考案を実施するための最良の形態】
【００２８】
以下に、図面を参照して本考案を実施するための最良の形態を説明する。
【００２９】
本考案に係るポール用支持具１は、図１に示すように、カーテンＣ等を吊り下げることが可能なポールＰの両端部を支持するものである。このポール用支持具１は、例えば、図１に示すように、所定のボックスＢの開口部２を構成する側壁３，４にポールＰを架設するために、ポールＰの両端部に配置される。従って、ポール用支持具１は、２個存在することとなる。
【００３０】
このポール用支持具１は、図１に示すように、ボックスＢの開口部２から若干前方に突出した状態でポールＰをボックスＢに架設するものである。開口部２を備えているボックスＢの全体は、側壁３，４と、天板５と、底板６により形成されている。また、ボックスＢにおける開口部２と反対の位置には、背面板７が配置されている。尚、図１に示すポールＰは、所定のリング８を介してカーテンＣを吊り下げているが、ポールＰの用途はこれに限定されるものではない。ポールＰは、例えば、タオルを吊り下げる等、どのような用途に用いられるものであっても差し支えない。
【００３１】
側壁３の前面３Ａに配置されるポール用支持具１は、図２・図３に示すように、ポールＰの端部を受け入れるポール受け部９を備えたブラケット本体１０と、ブラケット本体１０の内側面に設けた板片部１１とから成る。このブラケット本体１０は、ボックスＢの開口部２を構成する側壁３の前面３Ａに当接する接触面１２を備えている。また、板片部１１は、固定用の孔１３を備えている。
【００３２】
具体的には、ブラケット本体１０は、所定の幅を備えた上側の水平面部１０Ａと、湾曲面部１０Ｂを介して水平面部１０Ａの前端部から斜め下方に延設された傾斜面部１０Ｃと、この水平面部１０Ａ、湾曲面部１０Ｂ、傾斜面部１０Ｃの側方に配置された略三角形状の側面部１０Ｄ，１０Ｅとから成り、全体が所定の幅を備えた縦長の略三角形状に形成されている。そして、水平面部１０Ａの後端部と、傾斜面部１０Ｃの下端部との間に、縦長の垂直状背面部１０Ｆが形成されている。この垂直状背面部１０Ｆが、側壁３の前面３Ａに当接する接触面１２となる。
【００３３】
また、ブラケット本体１０の側面部１０Ｄにおける湾曲面部１０Ｂの近傍には、円形状のポール受け部９を凹設している。尚、図に示すポール受け部９は、ポールＰの端部形状に合わせて円形状に形成されているが、これに限定されることはない。例えば、ポールＰの端部を方形状に形成し、ポール受け部９を同じく方形状に形成しても良い。
【００３４】
ブラケット本体１０を形成する側面部１０Ｄには、板片部１１が設けられている。この板片部１１は、薄板状で、ブラケット本体１０の側面部１０Ｄにおいて、傾斜面部１０Ｃ側から垂直状背面部１０Ｆ側にかけて、さらには、垂直状背面部１０Ｆを越えて突出状に設けられている。従って、板片部１１は、ブラケット本体１０の垂直状背面部１０Ｆに対して、９０度の角度で取り付けられている。その結果、図４に示すように、ブラケット本体１０の垂直状背面部１０Ｆを側壁３の前面３Ａに当接させると、ブラケット本体１０の板片部１１が、側壁３の内面３Ｂに当接することとなる。また、板片部１１における垂直状背面部１０Ｆを越えて突出している部分に、固定用の孔１３を設けている。そして、図４に示すように、ブラケット本体１０の垂直状背面部１０Ｆを側壁３の前面３Ａに当接させ、ブラケット本体１０の板片部１１が側壁３の内面３Ｂに当接している状態で、板片部１１の孔１３に所定のネジ１４をねじ込んで、側壁３の内面３Ｂに板片部１１を固定するのである。
【００３５】
ブラケット本体１０の接触面１２を形成する垂直状背面部１０Ｆは、水平面部１０Ａの後端面、側面部１０Ｅの後端面、側面部１０Ｄにおける板片部１１よりも上方に位置する部分の後端面、傾斜面部１０Ｃの下端部後端面により、全体で枠を構成するように形成されている。また、上方における側面部１０Ｄ，１０Ｅ間には、水平状に補強リブを設けている。さらに、傾斜面部１０Ｃから垂直状背面部１０Ｆにかけて存在する板片部１１と、側面部１０Ｅとの間にも、水平状の補強リブを設けている。この下方に位置する補強リブの後端面は、水平面部１０Ａや側面部１０Ｅの後端面と同じ位置になるように形成されている。従って、ブラケット本体１０を側壁３の前面３Ａに配置すると、側壁３の前面３Ａは、ブラケット本体１０の水平面部１０Ａの後端面、側面部１０Ｅの後端面、側面部１０Ｄにおける板片部１１よりも上方に位置する部分の後端面、傾斜面部１０Ｃの下端部後端面とそれぞれ当接することとなる。
【００３６】
尚、ブラケット本体１０の垂直状背面部１０Ｆは、前述した枠を構成するものに限定されることはない。例えば、垂直状背面部１０Ｆを一枚の板により形成し、この板面の全体が側壁３の前面３Ａに当接するものであっても良い。また、垂直状背面部１０Ｆを、例えば、上下に分かれる複数の板により形成し、それぞれの板面が側壁３の前面３Ａに当接するものであっても良い。さらに、板面は、四角形状に限定されず、円形状や三角形状等であっても良い。また、垂直状背面部１０Ｆは、水平面部１０Ａと傾斜面部１０Ｃの下端部との間に、複数の板を縦方向に配置し、それぞれの板の後端面が側壁３の前面３Ａに当接するものであっても良い。このとき、複数の板を斜めに配置しても良い。この他、垂直状背面部１０Ｆは、所定の板面と、板の後端面等を組み合わせるものであっても良い。また、ブラケット本体１０の内部に複数の棒状体を配設し、この棒状体の後端面が側壁３の前面３Ａに当接するものであっても良い。このように、垂直状背面部１０Ｆは、種々の形状の面状部分が側壁３の前面３Ａに当接するものであるが、これに限定されることはない。例えば、面状部分よりも細い線状部分や、接触面積が極めて小さい点状部分が、側壁３の前面３Ａに当接するものであっても良い。
【００３７】
一方、側壁４の前面４Ａに配置されるポール用支持具１は、図５・図６に示すように、側壁３の前面３Ａに配置されるポール用支持具１とほぼ同一の構成を備えている。一対のポール用支持具１は、いずれも板片部１１がブラケット本体１０の内側に位置するように、対称に形成されているのである。尚、図５乃至図７において記載した、図２乃至図４の符号と同一の符号については、全て同一の形状を備えているため、詳細な説明を省略する。
【００３８】
以下に、形状が異なっているポール受け部１５について説明する。
【００３９】
ブラケット本体１０の側面部１０Ｄにおける湾曲面部１０Ｂの近傍には、ポール受け部１５を凹設している。このポール受け部１５は、図５・図６に示すように、ポールＰの端部を上方から受け入れる挿入口１６を備えている。ポール受け部１５は、挿入口１６の前端部分から下方に向けて湾曲状に形成され、また、挿入口１６の後端部分から下方に向けて傾斜面１７を設けるように形成されている。尚、図に示すポール受け部１５は、ポールＰの端部形状に合わせて円形に形成されているが、これに限定されることはない。例えば、ポールＰの端部形状に合わせて、どのような形状に形成しても差し支えない。
【００４０】
次に、以上のように構成された本考案の最良の形態について、使用、組立の一例を説明する。まず、図３に示すように、ボックスＢの側壁３にポール用支持具１を取り付ける。このとき、ブラケット本体１０の接触面１２（垂直状背面部１０Ｆ）は側壁３の前面３Ａに当接し、ブラケット本体１０の板片部１１は、側壁３の内面３Ｂに当接した状態となっている。そして、図４に示すように、ブラケット本体１０のポール受け部９にポールＰの端部を挿入する。
【００４１】
また、図６に示すように、ボックスＢの側壁４にもう一つのポール用支持具１を取り付ける。このとき、ブラケット本体１０の接触面１２（垂直状背面部１０Ｆ）は側壁４の前面４Ａに当接し、ブラケット本体１０の板片部１１は、側壁４の内面４Ｂに当接した状態となっている。そして、図７に示すように、ブラケット本体１０のポール受け部１５の挿入口１６からポールＰの端部を挿入する。
【００４２】
このようにして、一対のポール用支持具１により、ボックスＢの開口部２にポールＰを架設するのである。
【産業上の利用可能性】
【００４３】
本考案に係るポール用支持具１は、カーテンＣ等を所定のボックスＢの開口部２に吊り下げるために使用されているが、この他にも、室内の窓部にポール用支持具１を使用しても良い。
【図面の簡単な説明】
【００４４】
【図１】一対のポール用支持具の使用状態を示した斜視図である。
【図２】ブラケット本体と板片部から成るポール用支持具の構成を示し、（ａ）はポール用支持具の側面図、（ｂ）はポール用支持具の底面図である。
【図３】ボックスの側壁にポール用支持具を取り付ける状態を示した分解斜視図である。
【図４】ボックスの側壁にポール用支持具を取り付け、ポールを挿入した状態を示した斜視図である。
【図５】ブラケット本体と板片部から成るもう一つのポール支持具の構成を示し、（ａ）はポール用支持具の側面図、（ｂ）はポール用支持具の正面図である。
【図６】ボックスの側壁にもう一つのポール用支持具を取り付ける状態を示した分解斜視図である。
【図７】ボックスの側壁にもう一つのポール用支持具を取り付け、挿入口からポールの端部を挿入する状態を示した分解斜視図である。
【符号の説明】
【００４５】
Ｂ…ボックス
Ｃ…カーテン
Ｌ…フック
Ｐ…ポール
Ｒ…リングランナー
１…ポール用支持具
２…開口部
３…側壁
３Ａ…前面
３Ｂ…内面
４…側壁
４Ａ…前面
４Ｂ…内面
５…天板
６…底板
７…背面板
８…リング
９…ポール受け部
１０…ブラケット本体
１０Ａ…水平面部
１０Ｂ…湾曲面部
１０Ｃ…傾斜面部
１０Ｄ…側面部
１０Ｅ…側面部
１０Ｆ…垂直状背面部
１１…板片部
１２…接触面
１３…孔
１４…ネジ
１５…ポール受け部
１６…挿入口
１７…傾斜面
【図１】
0003104247.tif 000003
【図２】
0003104247.tif 000004
【図３】
0003104247.tif 000005
【図４】
0003104247.tif 000006
【図５】
0003104247.tif 000007
【図６】
0003104247.tif 000008
【図７】
0003104247.tif 000009
【手続補正書】
【提出日】平成16年3月29日(2004.3.29)
【手続補正１】
【補正対象書類名】明細書
【補正対象項目名】００４５
【補正方法】変更
【補正の内容】
【００４５】
Ｂ…ボックス
Ｃ…カーテン
Ｐ…ポール
１…ポール用支持具
２…開口部
３…側壁
３Ａ…前面
３Ｂ…内面
４…側壁
４Ａ…前面
４Ｂ…内面
５…天板
６…底板
７…背面板
８…リング
９…ポール受け部
１０…ブラケット本体
１０Ａ…水平面部
１０Ｂ…湾曲面部
１０Ｃ…傾斜面部
１０Ｄ…側面部
１０Ｅ…側面部
１０Ｆ…垂直状背面部
１１…板片部
１２…接触面
１３…孔
１４…ネジ
１５…ポール受け部
１６…挿入口
１７…傾斜面